(57)【要約】【課題】  街頭、街路、地下街、店内などにおける監視が人知れずになし得る監視カメラ、およびそれを用いた監視システムを提供する。【解決手段】  街頭または店内に存在する物品に撮像部１１を内蔵させてその物品に擬態させてなる監視カメラ１０である。その物品は、情報表示装置、ディスプレイ、散髪屋のディスプレイ２００、自動販売機２１０、標識・案内板２２０、ドア２３０、鏡２４０、蛍光灯２５０、街灯２６０、信号機２７０、カウンター２８０、アーチ２９０などとされる。本発明の監視システムＳは、監視カメラ１０と、監視カメラ１０の映像を記録する映像記録装置２０と、監視カメラ１０の映像を表示する映像表示装置３０と、監視カメラ１０の映像を処理するとともに、監視カメラ１０、映像記録装置２０および映像表示装置３０を制御する映像処理制御装置５０とを備えてなるものである。【選択図】  図２
2005269287.tif 000002
【特許請求の範囲】
【請求項１】
街頭または店内に存在する物品に擬態されてなることを特徴とする監視カメラ。
【請求項２】
擬態が、撮像部を物品に内蔵することにより実現されてなることを特徴とする請求項１記載の監視カメラ。
【請求項３】
物品が、情報表示装置、ディスプレイ、散髪屋などのディスプレイ、自動販売機、標識、案内板、ドア、鏡、照明装置、街灯、信号機、カウンター、またはアーチであることを特徴する請求項１記載の監視カメラ。
【請求項４】
撮像部を駆動する駆動部が備えられてなることを特徴する請求項２記載の監視カメラ。
【請求項５】
駆動部が、撮像部の向きを変える回動機構と、撮像部の傾きを変える傾斜機構と、ズーム機構とを備えてなることを特徴する請求項４記載の監視カメラ。
【請求項６】
請求項１ないし請求項５のいずれか一項に記載の監視カメラと、前記監視カメラの映像を記録する映像記録装置と、前記監視カメラの映像を表示する映像表示装置と、前記監視カメラの映像を処理するとともに、同監視カメラ、前記映像記録装置および前記映像表示装置を制御する映像処理制御装置とを備えてなることを特徴とする監視システム。
【請求項７】
映像伝送装置を備え、該映像伝送装置により監視カメラからの映像が伝送されるようにされてなることを特徴とする請求項６記載の監視システム。
【発明の詳細な説明】
【技術分野】
【０００１】
本発明は監視カメラおよびそれを用いた監視システムに関する。さらに詳しくは、街路や地下街などにおける監視が人知れずになし得る監視カメラおよびそれを用いた監視システムに関する。
【背景技術】
【０００２】
近時の街頭犯罪の増加から各所に監視カメラが設置されるようになってきている。
【０００３】
しかしながら、街路などに多数の監視カメラを設置した場合には、街行く人に常に監視されているという不快感を生じさせたり、プライバシーが侵害されているという嫌悪感をいだかせることにもつながりかねない。
【０００４】
また、監視カメラには必ず死角が存在するので、あからさまな監視カメラの設置はある程度の犯罪抑止とはなるものの、その逆に死角における犯罪の多発化を招来するおそれもある。
【０００５】
そのため、街行く人に不快感を生じさせるおそれもなく、また犯罪者に死角を発見されるおそれもない監視カメラおよびそれを用いた監視システムの出現が熱望されている。
【発明の開示】
【発明が解決しようとする課題】
【０００６】
本発明はかかる従来技術の課題に鑑みさなれたものであって、街路、地下街、店内などにおける監視が人知れずになし得る監視カメラ、およびそれを用いた監視システムを提供することを目的としている。
【課題を解決するための手段】
【０００７】
本発明の監視カメラは、街頭または店内に存在する物品に擬態されてなることを特徴とする。
【０００８】
本発明の監視カメラにおいては、擬態が、例えば撮像部を物品に内蔵することにより実現される。
【０００９】
また、本発明の監視カメラにおいては、物品が、例えば、情報表示装置、ディスプレイ、散髪屋などのディスプレイ、自動販売機、標識、案内板、ドア、鏡、照明装置、街灯、信号機、カウンター、またはアーチとされる。
【００１０】
さらに、本発明の監視カメラにおいては、撮像部を駆動する駆動部が備えられてなるのが好ましい。その場合、駆動部が、撮像部の向きを変える回動機構と、撮像部の傾きを変える傾斜機構と、ズーム機構とを備えてなるのがさらに好ましい。
【００１１】
本発明の監視システムは、前記いずれかの監視カメラと、前記監視カメラの映像を記録する映像記録装置と、前記監視カメラの映像を表示する映像表示装置と、前記監視カメラの映像を処理するとともに、同監視カメラ、前記映像記録装置および前記映像表示装置を制御する映像処理制御装置とを備えてなることを特徴とする。
【００１２】
本発明の監視システムにおいては、映像伝送装置を備え、該映像伝送装置により監視カメラからの映像が伝送されるようにされてなるのが好ましい。
【発明の効果】
【００１３】
本発明の監視カメラによれば、街頭や店内などの監視をさりげなくなし得るという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
実施形態１
本発明の実施形態１に係る監視カメラを用いた監視システムを図１にブロック図で示す。
【００１６】
監視システムＳは、図１に示すように、監視カメラ１０と、映像記録装置２０と、映像表示装置３０と、映像伝送装置４０と、映像処理制御装置５０とを主要構成要素として備えてなるものとされる。ここで、映像記録装置２０、映像表示装置３０、映像伝送装置４０および映像処理制御装置５０は、例えば現場監視室１００に設置され、映像伝送装置４０から伝送された監視画像は、例えば広域回線網Ｎを介して中央監視センター１１０の映像表示装置１２０に伝送される。また、監視カメラ１０と現場監視室１００との通信は、有線によりなされてもよく、無線によりなされてもよい。
【００１７】
監視カメラ１０は、撮像部１１と、表示部１２と、撮像部１１および表示部１２に電源を供給する電源部１３とを備えてなるものとされ、電源部１３は例えば商用電源に接続されている。このように、監視カメラ１０はみかけは広告、時刻、ニュース、天気予報などの情報を表示する情報表示装置とされている。つまり、監視カメラ１０は情報表示装置に擬態させられてなるものとされる。
【００１８】
撮像部１１は、昼夜兼用とされたＣＣＤカメラ、例えばボードＣＣＤカメラ(Komoto製KMT-1197(型式名))により構成される。ここで、使用するＣＣＤカメラは白黒とされてもよいが、得られる情報量が多い点および解析がしやすい点などからカラーＣＣＤカメラとされるのが好ましい。
【００１９】
表示部１２は、例えば液晶表示装置や発光ダイオード表示装置により構成され、例えばニュース、天気予報、時刻、広告などを表示するものとされる。また、表示部は、表示する画像データを記憶しておくメモリを有するものとされる。
【００２０】
電源部１３は、外部から供給された電力を撮像部１１と表示部１２に供給するものとされる。この電源部１３には停電などにより外部からの電力の供給が停止された場合においても監視を継続する観点から、図示はされていないが非常用電源としてバッテリーが設けられている。
【００２１】
図２および図３に監視カメラ１０の具体的な構成例を示す。
【００２２】
図２に示す監視カメラ１０Ａは、箱型状の本体１０ａと、本体１０ａの一方の下部角部に配設されたボードカラーＣＣＤカメラ(以下、単にＣＣＤカメラという)１０ｂと、本体１０ａの前面および後面角部に前記ＣＣＤカメラ１０ｂに対応させて設けられた撮像窓１０ｃと、本体１０ａの前面および後面の大半を占めるように形成された画像表示面１０ｄと、本体１０ａの前面および後面下部に所定配列に設けられた所要数の空気孔１０ｅと、本体１０ａ側面に設けられた取付部材１０ｆとを備えてなるものとされる。撮像窓１０ｃは、例えば色付の透明プラスチックとされる。また、電力ケーブル、伝送ケーブル、制御ケーブルなどのケーブル類は取付部材１０ｆの内部を通して本体１０ａ内に引き込まれる。なお、空気孔１０ｅは必要に応じて設けられればよく、そのため必ずしも設けられる必要はない。
【００２３】
この監視カメラ１０Ａは、例えば建物の街路に面した壁面に配設されて街路の前方および後方を撮像することにより監視をなすものとされる。
【００２４】
図３に示す監視カメラ１０Ｂは、ＣＣＤカメラ１０ｂが本体１０ａの一方の角部下部に配設されている他は図２に示す監視カメラ１０Ａと同様とされている。この監視カメラ１０Ｂは、例えばホールの柱や梁などに配設されてその下方を撮像することにより監視をなすものとされる。この場合、広い範囲を監視できる点よりＣＣＤカメラのレンズは広角レンズとされるのが好ましい。
【００２５】
映像記録装置２０は、例えば光ディスク記録装置とされて監視カメラ１０からの映像を記録するものとされる。
【００２６】
映像表示装置３０は、例えばモニターテレビ(カラーモニターテレビ)とされて監視カメラ１０からの映像を写し出すものとされる。また、映像表示装置３０はパソコンとすることもできる。
【００２７】
映像伝送装置４０は、例えば映像を圧縮し、その圧縮された映像を広域回線網Ｎに伝送可能な信号に変換して伝送する映像伝送装置とされる。この映像伝送装置の具体的な構成については、公知の各種構成を好適に用いることができるので、その詳細な説明は省略する。
【００２８】
映像処理制御装置５０は、例えばコンピュータとされて、監視カメラ１０を制御するとともに、監視カメラ１０からの映像におけるノイズを除去する処理などをして映像記録装置２０に記録させる処理、映像表示装置３０に表示させる処理、映像伝送装置４０に映像を伝送させる処理などを制御する。なお、具体的には、コンピュータに前記各処理に対応させたプログラムを格納することにより実現される。
【００２９】
広域回線網Ｎは、例えばインターネットとされる。
【００３０】
次に、かかる構成とされている監視システムＳによる監視について説明する。
【００３１】
手順１：映像処理制御装置５０からの指令により監視カメラ１０の電源部１３をオンする。
【００３２】
手順２：映像処理制御装置５０からの指令により撮像部１１をオンして撮像を開始させる。
【００３３】
手順３：映像処理制御装置５０からの指令により表示部１２をオンして表示可能な状態にさせる。
【００３４】
手順４：映像処理制御装置５０からの指令により表示部１２にメモリに記憶されている画像、例えば広告画像を表示させる。
【００３５】
手順５：撮像部１１は撮像した映像を映像処理制御装置５０に送信する。
【００３６】
手順６：映像処理制御装置５０は撮像映像を画像処理して映像記録装置２０、映像表示装置３０および映像伝送装置４０に送信する。例えば、映像処理制御装置５０は撮像映像に対してノイズ除去処理、鮮明化処理、サンプリング処理などを行って、映像記録装置２０、映像表示装置３０および映像伝送装置４０に送信する。
【００３７】
手順７：映像記録装置２０は、映像処理制御装置５０から送信されてき映像を例えば光ディスクに記録する。
【００３８】
手順８：映像表示装置３０は、映像処理制御装置５０から送信されてき映像をモニタ画面に表示する。
【００３９】
手順９：映像伝送装置４０は、映像処理制御装置５０から送信されてきた映像を圧縮し、広域回線網Ｎを介して中央監視センター１１０の映像表示装置１２０に送信する。
【００４０】
以下、手順５〜９が繰り返されて、監視が継続される。
【００４１】
このように、この実施形態１の監視システムＳによれば、監視カメラ１０がみかけは広告表示装置などの情報表示装置とされているので、街行く人やホールに集う人々に監視されていると意識を生じさせることなく監視ができる。つまり、さりげなく監視がなし得る。また、監視カメラ１０の存在が知られることはないので、その死角も発見されることもない。そのため、監視カメラ１０の死角における犯罪の多発化も抑止される。
【００４２】
実施形態２
本発明の実施形態２に係る監視システムに用いられる監視カメラ１０Ｃを図４に示す。この図４に示す監視カメラ１０Ｃは、みかけは大型ディスプレイとされてホールの壁面などに配設され、ホール内の監視をなすものとされる。なお、監視カメラ１０Ｃを擬態さすディスプレイは、大型ディスプレイに限定されるものではなく、各種ディスプレイとでき、例えばマルチディスプレイとすることもできる。
【００４３】
監視カメラ１０Ｃは、図４に示すように、薄箱型状の本体１０ｇと、本体１０ｇ下部の両角部に配設されたＣＣＤカメラ１０ｈと、本体１０ｇ前面の下部両角部に前記ＣＣＤカメラ１０ｈに対応させて設けられた撮像窓１０ｉと、本体１０ｇ前面の大半を占めるように形成された画像表示部１０ｊと、本体１０ｇ前面の下部中央部に所定配列に設けられた所要数の空気孔１０ｋとを備えてなるものとされる。ＣＣＤカメラ１０ｈに用いられるレンズは、広角レンズとされるのが、１台でホール内の広い範囲を監視できる点から好ましい。また、電力ケーブル、伝送ケーブル、制御ケーブルなどのケーブル類は本体１０ｇ裏面の適宜位置から本体１０ｇ内に引き込まれる。
【００４４】
なお、実施形態２の監視システムのその余の構成は、実施形態１の監視システムＳと同様とされているので、その詳細な説明は省略する。
【００４５】
このように、この実施形態２の監視システムによれば、ホールに集う人々に映像を楽しんでもらいながら、ホール内の監視をなすことができる。そのため、ホール内の人々の安全を確保することができる。
【００４６】
実施形態３
本発明の実施形態３に係る監視システムＳ１を図５にブロック図で示す。この実施形態３は実施形態１を改変してなるものであって、監視カメラ６０にＣＣＤカメラ６１と、それを駆動する駆動部６２と、表示部６３と、電源部６４とを備えてなるものとされる。この駆動部６２は映像処理制御装置５０により制御されるものとされる。なお、図５において、図１と同一符号を付したものは、同一または類似の構成要素を示す。
【００４７】
図６に駆動部６２をブロック図で示す。駆動部６２は、図６に示すように、ＣＣＤカメラ６１の向きを変える回動機構７０と、ＣＣＤカメラ６１の傾きを変える傾斜機構８０と、ズーム機構９０とを備えてなるものとされる。かかる構成とされた駆動部６２を一体化して備えたＣＣＤカメラ６１としては、例えばVIVOTEK社製ＰＴ３１１３，ＰＴ３１２３(型式名)がある。
【００４８】
なお、実施形態３のその余の構成は、実施形態１と同様とされているので、その構成の詳細な説明は省略する。
【００４９】
このように、実施形態３の監視システムＳ１によれば、特定の個所の拡大した映像、例えば事故や犯罪が発生した個所の拡大した画像を得ることができるので、事故や犯罪に対して実施形態１の監視システムＳよりもより適切な対応が迅速になし得る。
【００５０】
以上、本発明を実施形態に基づいて説明してきたが、本発明かかる実施形態のみに限定されるものではなく、種々改変が可能である。例えば、実施形態では表示部１２，６３は映像処理制御装置５０により制御されるようにされているが、電源部１３，６４のオンにより所定の広告や時刻を表示するようにしてもよい。
【００５１】
また、監視カメラを擬態さす物品は情報表示装置およびディスプレイに限定されるものではなく、街頭に存在する各種物品とすることができる。例えば、図７に示すように、クリーニング店や散髪屋などのディスプレス２００に撮像部２０１を設けることにより擬態させてもよく、図８に示すように、自動販売機２１０に撮像部２１１を設けることにより擬態させてもよく、図９に示すように、標識や案内板２２０に撮像部２２１を設けることにより擬態させてもよく、図１０に示すように、ドアや自動ドア２３０に撮像部２３１を設けることにより擬態させてもよく、図１１に示すように、化粧室に設けられた鏡２４０に撮像部２４１を設けることにより擬態させてもよく、図１２に示すように、天井に設けられた室内照明装置例えば蛍光灯２５０に撮像部２５１を設けることにより擬態させてもよく、図１３に示すように、街灯２６０に撮像部２６１を設けることにより擬態させてもよく、図１４に示すように、信号機２７０に撮像部２７１を設けることにより擬態させてもよく、図１５に示すように、店頭のカウンター２８０に撮像部２８１を設けることにより擬態させてもよく、図１６に示すように、公園やテーマパークなどに設けられたアーチ２９０に撮像部２９１を設けることにより擬態させてもよい。
【産業上の利用可能性】
【００５２】
本発明は、街路、地下街、店内、ホールなどの人々が通行する場所や集う場所における監視に適用できる。
【図面の簡単な説明】
【００５３】
【図１】本発明の実施形態１に係る監視システムのブロック図である。
【図２】同監視システムに用いられる監視カメラの一例の２面図であって、同(ａ)は正面図であり、同(ｂ)は一部を断面で示す側面図である。
【図３】同監視システムに用いられる監視カメラの他の例の２面図であって、同(ａ)は一部を断面で示す正面図であり、同(ｂ)は一部を断面で示す側面図である。
【図４】同監視システムに用いられる監視カメラの他の例の２面図であって、同(ａ)は正面図であり、同(ｂ)は一部を断面で示す側面図である。
【図５】本発明の実施形態２に係る監視システムのブロック図である。
【図６】同監視システムに用いられる監視カメラの駆動部のブロック図である。
【図７】本発明の監視カメラの変形例の一例の概略図である。
【図８】本発明の監視カメラの変形例の他の例の概略図である。
【図９】本発明の監視カメラの変形例のさらに他の例の概略図である。
【図１０】本発明の監視カメラの変形例のさらに他の例の概略図である。
【図１１】本発明の監視カメラの変形例のさらに他の例の概略図である。
【図１２】本発明の監視カメラの変形例のさらに他の例の概略図である。
【図１３】本発明の監視カメラの変形例のさらに他の例の概略図である。
【図１４】本発明の監視カメラの変形例のさらに他の例の概略図である。
【図１５】本発明の監視カメラの変形例のさらに他の例の概略図である。
【図１６】本発明の監視カメラの変形例のさらに他の例の概略図である。
【符号の説明】
【００５４】
１０      監視カメラ
１０ａ    本体
１０ｂ    ボードＣＣＤカメラ
１０ｃ    撮像窓
１０ｄ    表示画面
１１      撮像部、ＣＣＤカメラ
１２      表示部
１３      電源部
２０      映像記録装置
３０      映像表示装置
４０      映像伝送装置
５０      映像処理制御装置
６０      監視カメラ
６１      ＣＣＤカメラ
６２      駆動部
６３      表示部
７０      回動機構
８０      傾斜機構
９０      ズーム機構
１００      現場監視室
１１０      中央監視センター
１２０      映像表示装置
Ｎ      広域回線網
Ｓ      監視システム
【図１】
2005269287.tif 000003
【図２】
2005269287.tif 000004
【図３】
2005269287.tif 000005
【図４】
2005269287.tif 000006
【図５】
2005269287.tif 000007
【図６】
2005269287.tif 000008
【図７】
2005269287.tif 000009
【図８】
2005269287.tif 000010
【図９】
2005269287.tif 000011
【図１０】
2005269287.tif 000012
【図１１】
2005269287.tif 000013
【図１２】
2005269287.tif 000014
【図１３】
2005269287.tif 000015
【図１４】
2005269287.tif 000016
【図１５】
2005269287.tif 000017
【図１６】
2005269287.tif 000018